(57)【特許請求の範囲】
【請求項１】
ロール状の粘着テープを回転可能に保持するとともに、縦方向及びこれに直交する横方向を有するケース本体と、
前記ケース本体の端部に設けられ、前記粘着テープが繰り出される繰出口と、
前記繰出口の両側から前記横方向外側へと延びる一対のガイド板と
を備え、
前記ガイド板は、裏面が前記ケース本体に対向接触する閉位置と、前記裏面が前記ケース本体から離間するとともに前記閉位置に対して９０度回動する開位置とを有するとともに、前記開位置において前記ケース本体側に位置する基端部と、前記基端部の反対側に位置する遠位端部とを有し、
前記基端部及び前記ケース本体のいずれか一方には、前記縦方向に延びるピンが設けられ、いずれか他方には、前記ピンが回転可能に挿入される軸穴が設けられ、
前記ガイド板及び前記ケース本体には、前記閉位置及び前記開位置において回動を規制する規制部材が設けられ、
前記ケース本体は、前記横方向に離間し、互いに対向する一対の側部を備え、
前記側部は、前記粘着テープに対向する内面と、その反対側に位置する外面とを備え、
前記開位置において、一対の前記ガイド板の表面が同一平面上に位置するとともに、前記閉位置において、前記側部の前記外面と前記ガイド板の前記表面とが同一平面上に位置することを特徴とするテープ貼付装置。
【請求項２】
前記規制部材は、前記基端部及び前記ケース本体のいずれか一方に設けられた凸部と、いずれか他方に設けられ前記凸部が嵌合可能な凹部とによって構成されることを特徴とする請求項１記載のテープ貼付装置。
【発明の詳細な説明】
【技術分野】
【０００１】
本発明は、ロール状の粘着テープを回転可能に保持し、繰出口から粘着テープを繰り出すテープ貼付装置に関するものである。
【背景技術】
【０００２】
個人が楽譜の製本作業を行う場合、見開きにして、ページをめくり易くするために、楽譜同士を蛇腹状に繋げていくことが多い。この場合、２枚の楽譜同士の端部を揃え、楽譜の辺の長さに合うほどの粘着テープを取り出し、２枚の楽譜に貼り付けていく作業を繰り返す。この作業の中で、取り出した粘着テープが曲がってしまったり、楽譜が斜めになってしまったりするので、２枚の楽譜同士の間に意図しない隙間がある状態で繋がってしまうことがあった。このように、２枚の紙を繋げるときには、真っ直ぐに粘着テープを貼ることが難しかった。
【０００３】
例えば、真っ直ぐに粘着テープを貼るためのテープ貼付装置の従来技術として、特許文献１に記載のテープ貼付装置がある。特許文献１に記載のテープ貼付装置は、本体の両側面に、上下方向にばねが付勢された押さえ板があることにより、封筒の開閉口のように少し段差がある物でも、粘着テープを一直線に貼ることができるというものである。
【先行技術文献】
【特許文献】
【０００４】
【特許文献１】特開２００３−４８６６６号公報
【発明の概要】
【発明が解決しようとする課題】
【０００５】
しかしながら、特許文献１に記載のテープ貼付装置は、封筒を閉じる時は真っ直ぐ粘着テープが貼れるが、楽譜の製本のように位置関係が簡単にずれてしまう場合、真っ直ぐに粘着テープが貼れないという問題があった。
【０００６】
本発明は、前述した問題点に鑑みてなされたものであり、その目的とすることは、２枚の紙を繋げるときの紙の位置ずれを無くし、簡単に真っ直ぐ粘着テープを貼り付けることが可能なテープ貼付装置を提供することである。
【課題を解決するための手段】
【０００７】
前述した目的を達成するための本発明は、ロール状の粘着テープを回転可能に保持するとともに、縦方向及びこれに直交する横方向を有するケース本体と、前記ケース本体の端部に設けられ、前記粘着テープが繰り出される繰出口と、前記繰出口の両側から前記横方向外側へと延びる一対のガイド板とを備え、前記ガイド板は、裏面が前記ケース本体に対向接触する閉位置と、前記裏面が前記ケース本体から離間するとともに前記閉位置に対して９０度回動する開位置とを有するとともに、前記開位置において前記ケース本体側に位置する基端部と、前記基端部の反対側に位置する遠位端部とを有し、前記基端部及び前記ケース本体のいずれか一方には、前記縦方向に延びるピンが設けられ、いずれか他方には、前記ピンが回転可能に挿入される軸穴が設けられ、前記ガイド板及び前記ケース本体には、前記閉位置及び前記開位置において回動を規制する規制部材が設けられ、前記ケース本体は、前記横方向に離間し、互いに対向する一対の側部を備え、前記側部は、前記粘着テープに対向する内面と、その反対側に位置する外面とを備え、前記開位置において、一対の前記ガイド板の表面が同一平面上に位置するとともに、前記閉位置において、前記側部の前記外面と前記ガイド板の前記表面とが同一平面上に位置することを特徴とするテープ貼付装置である。
【０００８】
例えば、前記規制部材は、前記基端部及び前記ケース本体のいずれか一方に設けられた凸部と、いずれか他方に設けられ前記凸部が嵌合可能な凹部とによって構成される。
【発明の効果】
【０００９】
本発明により、２枚の紙に粘着テープを貼り付けて横に繋げる時、紙の端部をガイド板の表面に当接させることによって揃えることができ、かつその状態を維持することができるため、容易に真っ直ぐ粘着テープを貼り付けることができる。
【図面の簡単な説明】
【００１０】
【図１】テープ貼付装置の斜視図
【図２】縦方向上側から見た使用状態のテープ貼付装置の正面図
【図３】ガイド板の規制手段を説明する拡大斜視説明図
【図４】横方向外側から見た使用状態のテープ貼付装置の正面図
【発明を実施するための形態】
【００１１】
以下図面に基づいて、本発明の実施形態を詳細に説明する。図１、図２を参照すれば、テープ貼付装置１は、ロール状の粘着テープ５を回転可能に保持し、縦方向Ｚ及びこれに直交する横方向Ｘを有するケース本体２を備える。粘着テープ５は、横方向Ｘ及び縦方向Ｚの両方と直交する前後方向Ｙに繰り出される。ケース本体２の前後方向Ｙ前側の前端部２Ａには、粘着テープ５が繰り出される繰出口４が設けられる。
【００１２】
ケース本体２は、横方向Ｘに離間し、互いに対向する一対の側部２０、２０を備える。側部２０は、粘着テープ５に対向する内面２０Ａと、これと反対に位置する外面２０Ｂとを有する。側部２０、２０は、連結部２１を介して横方向Ｘにおいて分離可能に連結される。連結部２１は、少なくともいずれか一方の側部２０と分離可能であればよい。連結部２１と側部２０を分離可能に連結する手段としては、例えば、側部２０には１又は複数の凹部を設け、連結部２１にはこの凹部と嵌合可能な１又は複数の凸部を設けることが考えられるが、これに限定されるものではない。粘着テープ５は、貫通孔（不図示）を有し、側部２０、２０が分離されている状態で連結部２１に挿入され、側部２０、２０の間に保持される。尚、側部２０、２０及び連結部２１の全てにおいて貫通孔２２があり、横方向Ｘに延びる円筒状の中空部が形成される。
【００１３】
繰出口４は、ケース本体２の前端部２Ａよりも前後方向Ｙ前側に突出する板部材であって、前後方向Ｙ前側の先端に粘着テープ５を切断するための刃４１を有する。繰出口４の横方向Ｘの寸法は、連結されている状態での側部２０、２０同士の距離以下である。繰出口４は、側部２０と横方向Ｘにおいて分離可能に連結される。繰出口４は、少なくともいずれか一方の側部２０と分離可能であれば良い。繰出口４と側部２０を分離可能に連結する手段としては、例えば、側部２０には１又は複数の凹部を設け、繰出口４にはこの凹部と嵌合可能な１又は複数の凸部を設けることが考えられるが、これに限定されるものではない。
【００１４】
テープ貼付装置１は、更に、繰出口４の両側から横方向Ｘ外側へと延びる一対のガイド板３、３を備える。各ガイド板３は、表面３１及びこれに対向する裏面３２を有する。一対のガイド板３、３は、２枚の紙６、６に粘着テープ５を貼り付けて、紙６、６同士を繋げる作業を行うとき、紙６の位置ずれを防止するためのガイドの役割を果たす。具体的には、作業者は、テープ貼付装置１と２枚の紙６、６を机上に載置し、各ガイド板３の表面３１に各紙６の端部を当接させる。これによって、紙６の前後方向Ｙへの移動を規制し、位置ずれをなくすことができる。
【００１５】
各ガイド板３は、裏面３２がケース本体２に対向接触する閉位置３４と、裏面３２がケース本体２から離間するとともに閉位置３４に対して９０度回動する開位置３３とを有する。また、ガイド板３は、開位置３３においてケース本体２側に位置する基端部３５と、基端部３５の反対側に位置する遠位端部３６とを有する。遠位端部３６には、表面３１及び裏面３２から見たときに略半円状の形状を有する窪み部３０が設けられる。各ガイド板３の基端部３５は、ケース本体２の前端部２Ａ側に位置し、遠位端部３６は、閉位置３４において、ケース本体２の後端部２Ｂ側に位置する。
【００１６】
作業者は、持ち運ぶ際には、ガイド板３を閉位置３４に収納しておく。一方、紙６、６同士を繋げる作業では、窪み部３０に指をかけてガイド板３を引き出し、遠位端部３６を把持し、基端部３５を回転軸としてガイド板３を回動させ、開位置３３まで移動させる。
【００１７】
ガイド板３、３の表面３１、３１は、開位置３３において、横方向Ｘ及び縦方向Ｚによって定まる同一平面上に位置する。従って、２枚の紙６、６の端部をガイド板３、３の表面３１、３１に当接させたとき、２枚の紙６、６の端部が一直線上に揃うので、粘着テープ５を簡単に真っ直ぐ貼ることができる。
【００１８】
また、ガイド板３の表面３１は、閉位置３４において、側部２０の外面２０Ｂと同一平面上に位置し、換言すれば面一になる。従って、持ち運ぶ際においてもガイド板３が邪魔にならない。
【００１９】
図３は、図２における横方向Ｘ右側の側部２０とガイド板３の嵌合状態を説明する図である。図３を参照すれば、ガイド板３の基端部３５の上面には、縦方向Ｚに延びる略円筒状のピン３７と、略半球状の凸部３８とが設けられる。凸部３８は、ピン３７よりも遠位端部３６から離間する位置に設けられる。
【００２０】
側部２０は、閉位置３４におけるガイド板３を収納可能な切欠き部が形成される。切欠き部は、側部２０の前端部２Ａにおいて、前後方向Ｙ前側の一部が横方向Ｘ全体に亘って切り欠かれた前切欠部２４と、外面２０Ｂにおいて、縦方向Ｚ下側及び横方向Ｘ外側の一部が切り欠かれた横切欠部２５を備える。前切欠部２４及び横切欠部２５を設けることによって、側部２０の縦方向Ｚ下側には、側部２０よりも横方向Ｘにおける寸法が小さく、縦方向Ｚ下側へ延びる側面２３Ａと、側部２０よりも前後方向Ｙにおける寸法が小さく、縦方向Ｚ下側へ延びる側面２３Ｂとが形成される。
【００２１】
横切欠部２５の縦方向Ｚ及び横方向Ｘの寸法は、閉位置３４におけるガイド板３の寸法と同一である。これによって、ガイド板３は、閉位置３４において横切欠部２５に収納される。
【００２２】
前切欠部２４には、ガイド板３のピン３７が回転可能に挿入されるとともに縦方向Ｚへ延びる略円筒状の軸穴２６と、開位置３３において凸部３８に対向する略半球状の第１凹部２７と、閉位置３４において凸部３８に対向する略半球状の第２凹部２８とが設けられる。第１凹部２７は、軸穴２６よりも横方向Ｘ内側に位置する。第２凹部２８は、軸穴２６よりも前後方向Ｙ前側に位置する。
【００２３】
より詳しくは、前切欠部２４における軸穴２６の中心Ｐから第１凹部２７の中心Ｑまでの距離、軸穴２６の中心Ｐから第２凹部２８の中心Ｒまでの距離、及び基端部３５の上面におけるピン３７の中心Ｓから凸部３８の中心Ｔまでの距離は、互いに略等しい。また、軸穴２６の中心Ｐ及び第１凹部２７の中心Ｑを通る直線と、軸穴２６の中心Ｐ及び第２凹部２８の中心Ｒを通る直線とのなす角は、略９０度である。更に、ピン３７の半径は、軸穴２６の半径よりもやや小さく、凸部３８の半径は、第１凹部２７及び第２凹部２８の半径よりもやや小さい。従って、ピン３７は軸穴２６に挿入可能となり、ピン３７が軸穴２６を回転軸として回動し、開位置３３では凸部３８が第１凹部２７に係り止めされ、閉位置３４では凸部３８が第２凹部２８に係り止めされる。
【００２４】
このように、第１凹部２７、第２凹部２８及び凸部３８は、ガイド板３の回動を規制する規制手段として機能する。これに代えて、又はこれと共に、側面２３Ａ及び側面２３Ｂも、ガイド板３の回動を規制する規制手段として機能する。すなわち、開位置３３において、側面２３Ａがガイド板３の裏面３２と対向し、ガイド板３の反時計回り方向の回動を規制するとともに、閉位置３４において、側面２３Ｂがガイド板３の裏面３２と対向し、ガイド板３の時計回り方向の回動を規制する。これらの規制手段によって、ガイド板３の意図しない回動を防止し、開位置３３及び閉位置３４において確実に固定することができる。
【００２５】
尚、ガイド板３の基端部３５には、開位置３３において、縦方向Ｚ下側及び横方向Ｘ内側の一部が、前後方向Ｙ全体に亘って切り欠かれた切欠部３９を設けても良い。この場合、切欠部３９の縦方向Ｚの寸法は、繰出口４の縦方向Ｚの寸法よりも大きくする。これによって、開位置３３におけるガイド板３の基端部３５が側部２０の内面２０Ａよりも横方向Ｘ内側に向かって突出している場合であっても、繰出口４がガイド板３の回動を阻害することがない。
【００２６】
上記の説明では、ガイド板３の基端部３５にピン３７が設けられ、ケース本体２の前切欠部２４に軸穴２６が設けられるものとしたが、その逆であっても良い。すなわち、ガイド板３の基端部３５に軸穴が設けられ、ケース本体２の前切欠部２４にピンが設けられるものとしても良い。
【００２７】
同様に、上記の説明では、ガイド板３の基端部３５に凸部３８が設けられ、ケース本体２の前切欠部２４に第１凹部２７及び第２凹部２８が設けられるものとしたが、その逆であっても良い。すなわち、ガイド板３の基端部３５に１つの凹部が設けられ、ケース本体２の前切欠部２４に２つの凸部が設けられるものとしても良い。
【００２８】
図２及び図４を参照し、２枚の紙６、６を繋げる作業において、テープ貼付装置１の使用方法を詳細に説明する。作業者は、テープ貼付装置１と２枚の紙６、６を机上に載置する。次に、作業者は、一対のガイド板３、３を開位置３３に固定する。次に、作業者は、紙６、６の横方向Ｘ内側の端部同士を繰出口４の横方向Ｘ中心の付近にて対向させ、紙６、６の前後方向Ｙ後側の端部をガイド板３、３の表面３１、３１に当接するまで繰出口４の下面４２の縦方向Ｚ下側に挿入する。尚、繰出口４の横方向Ｘ中心の位置が容易に判別できるように、繰出口４にその位置を示すマークや線を付しても良い。
【００２９】
繰出口４の下面４２は、ゴム等の摩擦係数が大きい部材で形成されることが望ましい。これによって、繰出口４の下面４２の縦方向Ｚ下側に挿入される紙６、６の摺動を抑制することができるので、更に紙６、６の位置ずれを防止することができる。
【００３０】
また、側部２０の下面や一対のガイド板３、３の下面も、ゴム等の摩擦係数が大きい部材で形成されても良い。これによって、テープ貼付装置１の位置ずれを防止することができる。
【００３１】
紙６、６の位置決めの後、作業者は、テープ貼付装置１の繰出口４から粘着テープ５を前後方向Ｙ前側に繰り出し、紙６、６の前後方向Ｙ前側の端部まで引き延ばす。そして、紙６、６の前後方向Ｙ前側の端部から粘着テープ５を貼り付けていき、紙６、６の前後方向Ｙ後側の端部まで貼り付けた後、刃４１で粘着テープ５を切断する。
【００３２】
以上、本発明の実施形態に係るテープ貼付装置１によれば、２枚の紙６、６に粘着テープ５を貼り付けて横に繋げる時、２枚の紙６、６の端部を一対のガイド板３、３の表面３１、３１で揃えることができ、かつその状態を維持することができるため、容易に真っ直ぐ粘着テープ５を貼り付けることができる。
【００３３】
テープ貼付装置１は、樹脂、金属、木材等、この技術分野において知られる通常の材質のものを用いることができ、各寸法は粘着テープ５のサイズ等に合わせて適宜変更可能である。また、用語「第１」及び「第２」は、同称の要素、位置等を単に区別するために用いられている。
【符号の説明】
【００３４】
１.........テープ貼付装置
２.........ケース本体
２０.........側部
２６.........軸穴
２７.........第１凹部（規制手段）
２８.........第２凹部（規制手段）
３.........ガイド板
３１.........表面
３２.........裏面
３３.........開位置
３４.........閉位置
３５.........基端部
３６.........遠位端部
３７.........ピン
３８.........凸部
４.........繰出口
５.........粘着テープ
６.........紙
Ｘ.........横方向
Ｙ.........前後方向
Ｚ.........縦方向
【要約】
【課題】２枚の紙を繋げるときの紙の位置ずれを無くし、簡単に真っ直ぐ粘着テープを貼り付けることが可能なテープ貼付装置を提供する。
【解決手段】テープ貼付装置１は、ロール状の粘着テープ５を回転可能に保持し、縦方向Ｚ及びこれに直交する横方向Ｘを有するケース本体２と、ケース本体２の端部に設けられ、粘着テープ５が繰り出される繰出口４と、繰出口４の両側から横方向Ｘ外側へと延びる一対のガイド板３、３とを備える。ガイド板３は、裏面３２がケース本体２に対向接触する閉位置３４と、閉位置３４に対して９０度回動する開位置３３とを有するとともに、開位置３３においてケース本体２側に位置する基端部３５を有する。基端部３５には縦方向Ｚに延びるピン３７が設けられ、ケース本体２にはピン３７が回転可能に挿入される軸穴２６が設けられ、閉位置３４及び開位置３３において回動を規制する規制部材が設けられる。
【選択図】図１【図１】
0005612789.tif 000002
【図２】
0005612789.tif 000003
【図３】
0005612789.tif 000004
【図４】
0005612789.tif 000005